(57)【要約】【課題】本発明は、使い勝手を向上させた振り出し容器を提供することにある。【解決手段】所定の区画の窪み部１１２を有する外壁面１１３を備えた容器本体１１０と、所定の区画の窪み部１２１を有する外壁面１２２を備え、容器本体の開口部１１４に回転可能に装着されるキャップ本体１２０と、貫通孔１３１を有し、前記キャップ本体の内壁面１２３に固定される上内蓋１３０と、貫通孔１４１を有し、前記容器本体の開口部に固定される下内蓋１４０とを備えている。容器本体の窪み部１１２とキャップ本体の窪み部１２１が、所定の位置関係になった際に、上内蓋の貫通孔１３１と下内蓋の貫通孔１４１が合わさり、容器本体１１０の窪み部１１２とキャップ本体１２０の窪み部１２１が、前記所定の位置関係とは異なる位置関係になった際に、上内蓋１３０の貫通孔１３１と下内蓋１４０の貫通孔１４１が合わさらない。【選択図】図４
2017171387.tif 000002
【特許請求の範囲】
【請求項１】
所定の区画の窪み部を有する外壁面を備えた容器本体と、
所定の区画の窪み部を有する外壁面を備え、前記容器本体の開口部に回転可能に装着されるキャップ本体と、
貫通孔を有し、前記キャップ本体の内壁面に固定される上内蓋と、
貫通孔を有し、前記容器本体の開口部に固定される下内蓋と、を備え、
前記容器本体の窪み部と前記キャップ本体の窪み部が、所定の位置関係になった際に、前記上内蓋の貫通孔と前記下内蓋の貫通孔が合わさり、
前記容器本体の窪み部と前記キャップ本体の窪み部が、前記所定の位置関係とは異なる位置関係になった際に、前記上内蓋の貫通孔と前記下内蓋の貫通孔が合わさらない、
ことを特徴とする振り出し容器。
【請求項２】
前記容器本体の窪み部は、手の指に沿った形状の窪みを有し、
前記キャップ本体の窪み部は、手の指に沿った形状の窪みを有し、
前記容器本体の窪み部と前記キャップ本体の窪み部が合わさる際に、前記上内蓋の貫通孔と前記下内蓋の貫通孔が合わさる、
ことを特徴とする請求項１に記載の振り出し容器。
【請求項３】
前記容器本体は、仕切り壁によって分けられた複数の収容室を有し、
前記下内蓋は、前記収容室の数と同じ数の貫通孔を有し、
前記下内蓋の貫通孔は、前記複数の収容室に対応する位置にそれぞれ設けられ、
前記容器本体の外壁面には、前記収容室の数と同じ数の窪み部を有し、
前記容器本体の窪み部は、前記複数の収容室に対応する位置にそれぞれ設けられている、
ことを特徴とする請求項１または請求項２に記載の振り出し容器。
【発明の詳細な説明】
【技術分野】
【０００１】  本発明は、振り出し容器に関する。
【背景技術】
【０００２】  従来、複数の調味料を収容し、特定の調味料を取り出すことのできる振り出し容器がある（例えば、特許文献１）。
【先行技術文献】
【特許文献】
【０００３】
【特許文献１】特開２００９−１２７８８号公報
【発明の概要】
【発明が解決しようとする課題】
【０００４】  しかし、特許文献１に示す振り出し容器には、使い勝手を向上させるために改良の余地がある。【０００５】  本発明の目的は、使い勝手を向上させた振り出し容器を提供することにある。
【課題を解決するための手段】
【０００６】  上記目的は、所定の区画の窪み部１１２を有する外壁面１２２を備えた容器本体１１０と、所定の区画の窪み部１２１を有する外壁面１２２を備え、前記容器本体１１０の開口部１１４に回転可能に装着されるキャップ本体１２０と、貫通孔１３１を有し、前記キャップ本体１２０の内壁面１２３に固定される上内蓋１３０と、貫通孔１４１を有し、前記容器本体１１０の開口部１１４に固定される下内蓋１４０と、を備え、前記容器本体１１０の窪み部１１２と前記キャップ本体１２０の窪み部１２１が、所定の位置関係になった際に、前記上内蓋１３０の貫通孔１３１と前記下内蓋１４０の貫通孔１４１が合わさり、前記容器本体１１０の窪み部１１２と前記キャップ本体１２０の窪み部１２１が、前記所定の位置関係とは異なる位置関係になった際に、前記上内蓋１３０の貫通孔１３１と前記下内蓋１４０の貫通孔１４１が合わさらない、ことを特徴とする振り出し容器１００によって達成される。【０００７】  上記目的は、前記容器本体１１０の窪み部１１２は、手の指に沿った形状の窪みを有し、前記キャップ本体１２０の窪み部１２１は、手の指に沿った形状の窪みを有し、前記容器本体１１０の窪み部１１２と前記キャップ本体１２０の窪み部１２１が合わさる際に、前記上内蓋１３０の貫通孔１３１と前記下内蓋１４０の貫通孔１４１が合わさる、ことを特徴とする上記の振り出し容器１００によっても達成される。【０００８】  上記目的は、前記容器本体１１０は、仕切り壁１１５によって分けられた複数の収容室を有し、前記下内蓋１４０は、前記収容室の数と同じ数の貫通孔１４１を有し、前記下内蓋１４０の貫通孔１４１は、前記複数の収容室に対応する位置にそれぞれ設けられ、前記容器本体１１０の外壁面１１３には、前記収容室の数と同じ数の窪み部１１２を有し、前記容器本体１１０の窪み部１１２は、前記複数の収容室に対応する位置にそれぞれ設けられている、ことを特徴とする上記の振り出し容器１００によっても達成される。
【発明の効果】
【０００９】  本発明によれば、使い勝手が向上した振り出し容器を実現できる。
【図面の簡単な説明】
【００１０】
【図１】本発明の実施形態による振り出し容器１００のキャップ本体１２０を説明する図である。
【図２】本発明の実施形態による振り出し容器１００の上内蓋１３０と下内蓋１４０を説明する図である。
【図３】本発明の実施形態による振り出し容器１００の容器本体１１０を説明する図である。
【図４】本発明の実施形態による振り出し容器１００を説明する図である。
【発明を実施するための形態】
【００１１】  以下、図１〜図４を用いて、本発明の実施形態による振り出し容器１００を説明する。図４に示すように、本発明の実施形態による振り出し容器１００は、キャップ本体１２０と容器本体１１０とで構成されている。
【００１２】  図１を用いて、本発明の実施形態による振り出し容器１００に含まれるキャップ本体１２０を説明する。
【００１３】  キャップ本体１２０は、例えば、合成樹脂で形成され、略半球状の外壁面１２２とその内側にある略半球状の内壁面１２３で構成されている。外壁面１２２には、振り出し容器１００に収容される収容物（例えば、調味料など）を取り出すための貫通孔１２４が設けられる。また、円板状の上内蓋１３０を内壁面１２３に嵌めこみ固定することで、内壁面１２３と上内蓋１３０とで所定の密封空間が作り出される。また、上内蓋１３０の所定の場所（上内蓋１３０の中心とはならない場所）に当該収容物を取り出すための貫通孔１３１を１か所設ける。このため、上内蓋１３０に設けられた貫通孔１３１は、キャップ本体１２０の回転に合わせて回転する。
【００１４】  キャップ本体１２０の外壁面１２２には、所定の区画の窪み部１２１が１か所設けられる。窪み部１２１は、略半楕円（上半分）状の外形をした窪みを有している。窪み部１２１の横幅の長さは、約２．５ｃｍであり、縦の長さは、約１．５ｃｍである。窪み部１２１の横幅は、手の親指の横幅とほぼ同じになり、窪み部１２１の縦の長さは、手の親指の第一関節から上の部分の約半分の長さとなるように構成される。また、窪み部１２１は、手の親指の腹の部分がフィットするような窪みの深さ（最大でも約１０ｍｍの深さ）で構成される。このように、本実施形態における振り出し容器１００は、キャップ本体１２０の外壁面１２２に手の親指の形に沿うような窪み部１２１が設けられる。
【００１５】  滑らかな曲面で構成された外壁面１２２に窪み部１２１を設けることで、窪み部１２１に手の親指の腹の部分（第一関節から上部の上半分の部分）が引っ掛かりやすくなり、キャップ本体１２０の回転が容易になり、かつ後述する貫通孔１３１の位置決めも容易になる。なお、キャップ本体１２０の回転をより容易にするために、外壁面１２２を摩擦係数が高い材質で構成してもよいし、外壁面１２２に摩擦係数を高くするための溝を設けてもよい。なお、窪み部１２１の形状や大きさや窪みの深さはどのようなものであってもよい。例えば、窪みの形状が半円や四角であってもよいし、窪みの大きさが手の親指よりも大きくなるように構成されてもよいし、窪みの大きさが手の親指よりも小さくなるように構成されてもよい。また、窪みの深さが最大でも１ｍｍ以下となるように構成されてもよいし、窪みの深さが最大で１０ｍｍ以上となるように構成されてもよい。
【００１６】  図２を用いて、本発明の実施形態による振り出し容器１００に含まれる上内蓋１３０と下内蓋１４０を説明する。
【００１７】  キャップ本体１２０に備え付けられる上内蓋１３０を図２（ａ）で示し、容器本体１１０に備え付けられる下内蓋１４０を図２（ｂ）で示す。上内蓋１３０には、貫通孔１３１が１か所設けられ、下内蓋１４０には、貫通孔１４１が４か所設けられる。上内蓋１３０と下内蓋１４０は、同じ大きさとなるように構成される。また、キャップ本体１２０を容器本体１１０に装着することで、上内蓋１３０と下内蓋１４０がぴったり重なることになる。キャップ本体１２０が回転することによって上内蓋１３０の貫通孔１３１と下内蓋１４０の４か所に設けられた貫通孔１４１が合わさるように、貫通孔１３１及び貫通孔１４１をそれぞれ設ける。また、下内蓋１４０の貫通孔１４１は、後述する仕切り壁１１５によって隔離されたそれぞれの収容室に対応する位置にそれぞれ設けられる。なお、貫通孔１３１が２か所以上に設けられる構成であってもよいし、貫通孔１４１が１か所に設けられる構成であってもよいし、貫通孔１４１が４か所以外の複数か所に設けられる構成であってもよい。
【００１８】  図３を用いて、本発明の実施形態による振り出し容器１００に含まれる容器本体１１０を説明する。
【００１９】  容器本体１１０は、例えば、合成樹脂または硝子で形成された円柱状の外形をした容器である。また、容器本体１１０は、仕切り壁１１５によってそれぞれが隔離された４つの収容室を有する。また、下内蓋１４０は、下内蓋１４０の４か所に設けられた貫通孔１４１がそれぞれの収容室の上方に位置するように、容器本体１１０の上部の開口部に固定される。
【００２０】  容器本体１１０の外壁面１１３には、所定の区画の窪み部１１２が４つの収容室に対応する位置にそれぞれ４か所設けられる。窪み部１１２は、略半楕円（下半分）状の外形をした窪みを有する。窪み部１１２の横幅の長さは、約２．５ｃｍであり、縦の長さは、約１．５ｃｍである。窪み部１１２の横幅は、手の親指の横幅とほぼ同じになり、窪み部１１２の縦の長さは、手の親指の第一関節から上の部分の約半分の長さとなるように構成される。また、窪み部１１２は、手の親指がフィットするような窪みの深さ（最大でも約１０ｍｍの深さ）で構成される。このように、本実施形態における振り出し容器１００は、容器本体１１０の外壁面１１３の４か所（４つの収容室に対応する位置）に手の親指の形に沿うような窪み部１１２がそれぞれ設けられる。
【００２１】  滑らかな曲面で構成された外壁面１１３に窪み部１１２を設けることで、窪み部１１２に手の親指の腹（第一関節から上部の下半分の部分）を添えやすくなり、かつ手の親指の腹の部分との摩擦が高くなる。このため、窪み部１１２を支点として手の親指の腹でキャップ本体１２０を回転させることで、キャップ本体１２０の回転を片手で容易に行うことができる。なお、キャップ本体１２０の回転をより容易にするために、外壁面１１３を摩擦係数が高い材質で構成してもよいし、窪み部１１２に摩擦係数を高くするための溝を設けてもよい。また、外壁面１１３の４か所に設けられた窪み部１１２は、それぞれが別の溝パターンを構成する場合があってもよい。溝パターンを異ならせることで、指の触角によって、容器本体に収容された収容物を選択することができるようになる。なお、窪み部１１２の形状や大きさや窪みの深さはどのようなものであってもよい。例えば、窪みの形状が半円や四角であってもよいし、窪みの大きさが手の親指よりも大きくなるように構成されてもよいし、窪みの大きさが手の親指よりも小さくなるように構成されてもよい。また、窪みの深さが最大でも１ｍｍ以下となるように構成されてもよいし、窪みの深さが最大で１０ｍｍ以上となるように構成されてもよい。また、外壁面１１３の４か所に設けられた窪み部１１２は、それぞれが別形状となるように構成されてもよい。それぞれの窪み部１１２を別形状にすることで、指の触角によって、容器本体に収容された収容物を選択することができるようになる。
【００２２】  図４を用いて、本発明の実施形態による振り出し容器１００を説明する。図４は、図３に示した容器本体１１０に図１に示したキャップ本体１２０を装着した状態の振り出し容器１００を示している。
【００２３】  図４は、キャップ本体１２０を回転させることで、キャップ本体１２０の窪み部１２１の横幅と容器本体１１０の窪み部１１２の横幅が合わさった状態を示している。キャップ本体１２０の回転によって窪み部１２１の横幅と窪み部１１２の横幅を合わせることで、上内蓋１３０の貫通孔１３１の位置決めが行われ、上内蓋１３０の貫通孔１３１と当該窪み部１１２に対応する下内蓋１４０の貫通孔１４１がぴったり重なるように構成される。このように、本実施形態の振り出し容器１００によれば、窪み部１２１と窪み部１１２を合わせることで窪み部１２１と窪み部１１２が手の親指の第一関節から上部の形状に沿うようになるため、直観的かつ素早く、容器本体１１０に収容されている４種類の収容物から目的の種類の収容物を選択して取り出すことができる。
【００２４】  なお、本実施形態による振り出し容器１００は、４つの収容室が設けられる構成であるが、収容室は１つであってもよいし、４つ以外の複数であってもよい。また、窪み部１２１と窪み部１１２は、手の親指に沿った形状の窪みで構成されているが、手の親指以外の指に沿った形状の窪みで構成されてもよい。また、窪み部１２１の横幅と窪み部１１２の横幅が同じ長さとなるように構成されているが異なる長さとなるように構成されてもよいし、窪み部１２１の縦の長さと窪み部１１２の縦の長さが同じ長さとなるように構成されているが異なる長さとなるように構成されてもよい。
【００２５】  また、本発明は、振り出し容器以外のあらゆる容器においても適用できる。また、上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。
【産業上の利用可能性】
【００２６】  本発明は、振り出し容器おいて広く利用可能である。
【符号の説明】
【００２７】１００  振り出し容器
１１０  容器本体
１１１  底面
１１２  窪み部
１１３  外壁面
１１４  開口部
１１５  仕切り壁
１２０  キャップ
１２１  窪み部
１２２  外壁面
１２３  内壁面
１３０  上内蓋
１３１  貫通孔
１４０  下内蓋
１４１  貫通孔
【図１】
2017171387.tif 000003
【図２】
2017171387.tif 000004
【図３】
2017171387.tif 000005
【図４】
2017171387.tif 000006
【手続補正書】
【提出日】平成28年8月27日(2016.8.27)
【手続補正１】
【補正対象書類名】特許請求の範囲
【補正対象項目名】全文
【補正方法】変更
【補正の内容】
【特許請求の範囲】
【請求項１】
所定の区画の窪み部を有する外壁面を備えた容器本体と、
所定の区画の窪み部を有する外壁面を備え、前記容器本体の開口部に回転可能に装着されるキャップ本体と、
貫通孔を有し、前記キャップ本体の内壁面に固定される上内蓋と、
貫通孔を有し、前記容器本体の開口部に固定される下内蓋と、を備え、
前記容器本体の窪み部は、手の指に沿った形状の窪みを有し、
前記キャップ本体の窪み部は、手の指に沿った形状の窪みを有し、
前記容器本体の窪み部と前記キャップ本体の窪み部が合わさる際に、前記上内蓋の貫通孔と前記下内蓋の貫通孔が合わさる、
ことを特徴とする振り出し容器。
【請求項２】
前記容器本体は、仕切り壁によって分けられた複数の収容室を有し、
前記下内蓋は、前記収容室の数と同じ数の貫通孔を有し、
前記下内蓋の貫通孔は、前記複数の収容室に対応する位置にそれぞれ設けられ、
前記容器本体の外壁面には、前記収容室の数と同じ数の窪み部を有し、
前記容器本体の窪み部は、前記複数の収容室に対応する位置にそれぞれ設けられている、
ことを特徴とする請求項１に記載の振り出し容器。
【請求項３】
前記容器本体の窪み部は、手の親指の腹に沿った形状の窪みを有し、
前記キャップ本体の窪み部は、手の親指の腹に沿った形状の窪みを有している、
ことを特徴とする請求項１または２に記載の振り出し容器。